(57)【要約】      （修正有）【課題】蓋のロック機構を備えて、それでいて蓋体の裏面に過大な圧力が掛かった時、蓋体は受口より押し上げられてその外周部に圧力を開放するための開口部を形成するが、受口から離脱することなく再び元の位置に収まることができる樹脂製のます又はマンホールの蓋を提供する。【解決手段】裏面から略垂直に延びたガイド部材５と、本体の上下動を規制するためのロック部材とを含む略円盤状の蓋体２と、蓋体２を着脱可能に受け入れるための受口と、受口より下方に延びた胴部の内周面上であって受口より下方に設けられた蓋体２のロック部材のフックと係合可能な突起部を含む蓋枠３とからなり、ガイド部材５は胴部内周面の全部又は一部との間に所定の隙間を生じるように配置され、かつ、フックの係合面は前記突起部の係合面から所定の距離で離間するように配置することにより、本体２は上下動してその外周部に開口部９を形成する。【選択図】図７
2007321535.tif 000002
【特許請求の範囲】
【請求項１】
蓋体本体と、前記本体の裏面から略垂直に延びたガイド部材と、前記本体の上下動を規制するためのロック部材とを含む略円盤状の蓋体と、そして
前記蓋体を着脱可能に受け入れるための受口と、前記受口より下方に延びた胴部と、前記胴部の内周面上であって前記受口より下方に設けられた前記蓋体のロック部材のフックと係合可能な突起部を含む略円筒状の蓋枠とからなり、
蓋体載置時、前記ガイド部材は前記胴部内周面の全部又は一部との間に所定の隙間を生じるように配置され、かつ、前記フックの係合面は前記突起部の係合面から所定の距離で離間するように配置することにより、前記本体は前記受口から前記距離の間で上下動してその外周部に開口部を形成することを特徴とする圧力開放式のます又はマンホールの蓋。
【請求項２】
前記ロック部材は、頭部とそれと連結した脚部と前記脚部から横方向へ延びたフックとからなり、前記ガイド部材と分離して前記蓋体本体の周縁部に設けられたロック部材装着孔に回転自在に取付けられていることを特徴とする請求項１に記載の圧力開放式のます又はマンホールの蓋。
【請求項３】
前記ロック部材は、前記ガイド部材の下面から連結して下方へ延びた脚部と前記脚部から横方向へ延びたフックとからなり、前記ガイド部材と一体的に形成されていることを特徴とする請求項１に記載の圧力開放式のます又はマンホールの蓋。
【請求項４】
前記ガイド部材は、前記ガイド部材の厚み方向に貫通する切り欠き部又は開口部を備えていることを特徴とする請求項１に記載の圧力開放式のます又はマンホールの蓋。
【請求項５】
前記ガイド部材のガイド部高さは、前記距離より長く設定されていることを特徴とする請求項１に記載の圧力開放式のます又はマンホールの蓋。
【請求項６】
前記受口には前記蓋体の裏面周縁部を載置するための水平部が設けられており、前記水平部上または前記水平部と当接する蓋体本体の裏面上にはシール部材が取り付けられていることを特徴とする請求項１に記載の圧力開放式のます又はマンホールの蓋。
【請求項７】
請求項１ないし６のいずれかに記載の圧力開放式のます又はマンホールの蓋を備えていることを特徴とするます又はマンホール。
【発明の詳細な説明】
【技術分野】
【０００１】
本発明は、地中に埋設した合成樹脂製の汚水ます、雨水ますなどの排水ますの地上開口部に取り付けられる蓋体および蓋枠よりなるます又はマンホールの蓋であって、特に、蓋体の裏面に過大な圧力が掛かった時、蓋体は受口より所定の距離まで押し上げられてその外周部に圧力を開放するための開口部を形成するが、受口から離脱することなく再び元の位置に収まることができる圧力開放式のます又はマンホールの蓋、および前記蓋を備えたます又はマンホールに関する。
【背景技術】
【０００２】
周知のように、宅地内または宅地外排水設備において、本管流路と枝管流路を合流させるために排水ますが使用され、その地上開口部には人の転落防止や外部からの土砂などの流入、および汚水からの悪臭の飛散などを防止することを目的として、蓋体および蓋枠よりなるます又はマンホールの蓋が取り付けられる。
【０００３】
また、公共用ますなどに使用されるこれらの蓋は、運搬時の不用意な脱落防止や施工後におけるいたずら、持ち去りなどを防止するため、通常、特開平７―３３１６８６号公報や特開平１０−３０２４３号公報、特開平１１−２２９４７９号公報の中に開示されているようなロック機構が設けられる。
【０００４】
しかしながら、上記蓋は、ロック後、いずれもその蓋体と蓋枠が密接に固定されるため、集中豪雨などにより多量の雨水が排水ますへ流れ込んだような場合にはマンホール内に生じた過大な圧力を開放することができず、その結果、排水ますや排水配管を破壊したり、あるいは蓋のロック機構を破壊することにより蓋体を跳ね上げたり、使用時に蓋枠から蓋体が外れてしまって危険であるという問題があった。
【０００５】
一方、このような問題を解消するために蓋体に圧力開放弁を設けることも提案されているが、圧力開放弁の構造は複雑でしかも高価であり、また、屋外で長期間使用すると土砂や粉塵などの影響により作動不良を起こす場合が多く、実際にはあまり普及していないのが現実である。
【０００６】
また、実開昭６４−３１１４３号公報の中では、上記圧力開放弁に代わって蓋のロック機構を利用した蓋体をガイドしながら上下動させることができるます又はマンホールの蓋が提案されている。
【０００７】
しかしながら、かかるガイド機能を兼ね備えた蓋のロック機構は構造が複雑であるため、実際には樹脂製の蓋への適用が困難であり、また、蓋体をガイドする部分へ土砂や粉塵などが噛み込み易いために、長期間使用した場合、正常かつ安定的な蓋体の上下動をガイドする機能を維持できないという問題があった。
【特許文献１】実開昭６４−３１１４３号公報
【特許文献２】実開平５−８９５３８号公報
【特許文献３】特開平７―３３１６８６号公報
【特許文献４】特開平１０−３０２４３号公報
【特許文献５】特開平１１−２２９４７９号公報
【発明の開示】
【発明が解決しようとする課題】
【０００８】
そこで、本発明は蓋のロック機構を備えており、それでいて蓋体の裏面に過大な圧力が掛かった時、蓋体は受口より押し上げられてその外周部に圧力を開放するための開口部を形成するが、受口から離脱することなく再び元の位置に収まることができる樹脂製のます又はマンホールの蓋を提供することを目的とする。
【０００９】
また、本発明は、蓋体が蓋枠から略水平な状態を保ちながら大きなストロークで上下動し、そのため、一時に多量の排水を逃がすことができる極めて圧力開放効率の高い樹脂製のます又はマンホールの蓋を提供することを目的とする。
【００１０】
さらに、本発明は、汚水等からの悪臭の飛散を防止するため、通常はシールされた状態を維持するが、蓋体の裏面に圧力が掛かった時、蓋体と蓋枠との間でシール部材による摩擦抵抗をほとんど発生させることなく、スムーズに蓋体を蓋枠から解放することができる樹脂製のます又はマンホールの蓋を提供することを目的とする。
【課題を解決するための手段】
【００１１】
上記目的を達成するため本発明者らは鋭意検討を重ねた結果、蓋体を蓋枠に載置した時、ロック部材のフック係合面と蓋枠の突起部係合面との間に遊びを設け、さらに蓋体をロックする機能を担う部分と蓋体をガイドする機能を担う部分とを機能的に分離することにより、土砂などの噛み込みによる影響が極めて少なく、蓋体の重量を決定するだけで簡単にマンホール内に生じた圧力の開放圧を調節することができる本発明のます又はマンホールの蓋を完成するに至った。
【００１２】
具体的には、請求項１に係る発明では、蓋体本体と、前記本体の裏面から略垂直に延びたガイド部材と、前記本体の上下動を規制するためのロック部材とを含む略円盤状の蓋体と、そして前記蓋体を着脱可能に受け入れるための受口と、前記受口より下方に延びた胴部と、前記胴部の内周面上であって前記受口より下方に設けられた前記蓋体のロック部材のフックと係合可能な突起部を含む略円筒状の蓋枠とからなる圧力開放式のます又はマンホールの蓋であって、蓋体載置時、前記ガイド部材は前記胴部内周面の全部又は一部との間に所定の隙間を生じるように配置され、かつ、前記フックの係合面は前記突起部の係合面から所定の距離で離間するように配置することにより、前記本体は前記受口から前記距離の間で上下動してその外周部に開口部を形成することができるようにした。
【００１３】
この結果、請求項１に記載の発明によれば、ロック時、蓋体はロック部材により蓋枠から自由に取り去ることはできないが、蓋体の裏面に圧力が掛かった時、その圧力に応じて受口からロック部材のフックと蓋枠の突起部とが係合するまで押し上げられ、蓋体の外周部に形成された開口部を通して圧力を開放し、その後再び元の位置に収まることができるようになる。
【００１４】
また、本発明のます又はマンホールの蓋の蓋体には、蓋体載置時、蓋枠の胴部内周面の全部又は一部との間に所定の隙間を生じるように配置された蓋体本体の裏面から略垂直に延びたガイド部材を設けたため、蓋体の裏面に不均等な圧力が生じた場合であっても、ガイド部材により、蓋体は蓋枠から略水平な状態を保ちながら大きなストロークで上下動することが可能となり、一時に多量の排水を逃がすなど極めて圧力開放効率の高い樹脂製のます又はマンホールの蓋を提供することができる。
【００１５】
さらに、本発明においては、蓋体をロックする機能を担う部分と蓋体をガイドする機能を担う部分を機能的に分離させているため、ガイド部材の構造を単純化したりガイド部材と蓋枠の胴部内周面との間に適度な隙間を設けるなどして、土砂などが噛み込み難い専用の構造を採用することが可能となる。このため、土砂などの噛み込みによる影響を極めて少なくすることができ、屋外で長期間にわたり使用しても圧力開放機能が損なわれることがない信頼性の高います又はマンホールの蓋を提供することができる。
【００１６】
なお、蓋体本体の裏面から略垂直に延びたガイド部材は、蓋体を蓋枠に載置した時、蓋枠の胴部内周面と略平行に離間しながら対向する部分を備えた部材であり、たとえば、胴部内周面に沿った外周面を有する円筒形状や、その一部を構成する片形状、棒形状を有している。
【００１７】
さらに、ガイド部材は蓋体の開放圧を調節するためにも機能するため、たとえば、ガイド部材が連続的な円筒形状である場合、その円筒面の一部に切り欠き部や開口部を設けることによります又はマンホール内に生じた圧力の開放圧を調節することができる。また、断片的な片形状や棒形状である場合は、それらの部材の配置間隔を調整することにより開放圧を調節することができる。
【００１８】
請求項２に係る発明では、請求項１に記載の圧力開放式のます又はマンホールの蓋のロック部材は、頭部とそれと連結した脚部と前記脚部から横方向へ延びたフックとからなるものを使用し、ガイド部材と分離して蓋体本体の周縁部に設けられたロック部材装着孔に回転自在に取付けた。
【００１９】
本発明で使用されるロック部材は公知のロック部材を一部改良したものであり、その基本構造はロック部材が頭部とそれと連結した脚部と前記脚部から横方向へ延びたフックを含み、前記フックと係合する突起部が蓋枠の胴部内周面に形成されているものであれば特に制限されることなく利用することができる。たとえば、出願人が開発した特開平１１−２２９４７９号公報に記載されているようなロック部材を改良して使用することが好ましい。
【００２０】
本発明においてロック部材は、蓋体を蓋枠に載置した時、フックの係合面が蓋枠の胴部内周面に設けられた突起部の係合面から所定の距離で離間するように脚部の長さが設定されている。このため、通常、フックはロック状態においても前記突起部と係合しないが、蓋体が持ち上げられた時、前記フックと突起部とが係合することにより蓋体を蓋枠から取り去ることができない構造となっている。
【００２１】
したがって、集中豪雨などにより多量の雨水が流れ込んでます又はマンホール内に過大な圧力を生じた場合は、蓋体はロック部材のフックと蓋枠の突起部とが係合するまで押し上げられ、その外周部に形成された開口部を通して圧力を開放するが、蓋のロック機能が妨害されることはない。
【００２２】
このように、本発明によるます又はマンホールの蓋は、土砂などの噛み込みによる影響が極めて少なく、蓋体の重量を決定するだけで簡単にます又はマンホール内に生じた圧力の開放圧を調節することができる。
【００２３】
請求項３に係る発明では、請求項１に記載の圧力開放式のます又はマンホールの蓋のロック部材は、ガイド部材の下面から連結して下方へ延びた脚部と前記脚部から横方向へ延びたフックとからなるものを使用し、前記ガイド部材と一体的に形成させた。
【００２４】
すなわち、請求項３に係る発明は、請求項２に係る発明のように蓋のロック機構とガイド機構を別個独立した部材として設けたものではなく、蓋体をロックする機能を担う部分と蓋体をガイドする機能を担う部分とを明確に区分けしながら、それぞれを簡素化された１つの部材の中で結合させたものである。
【００２５】
具体的には、蓋のガイド部材及びロック部材（以下、これを略して「ガイド・ロック部材」と呼ぶ場合がある）は、蓋体本体の裏面から略垂直に延びたガイド部材とその下面で連結して下方へ延びた脚部と前記それぞれの脚部から横方向へ延びたフックとからなるロック部材とで構成される。したがって、ガイド部材及びロック部材は蓋体本体に対して固定されており、そのため、それ自体が蓋体本体に対して回転したり可動したりすることはない。
【００２６】
ガイド部材は、ガイド・ロック部材の中で蓋体の裏面から直接、略垂直に延びた部分であって、蓋体を蓋枠に載置した時、蓋枠の胴部内周面と略平行に離間しながら対向する部分を備えており、たとえば、蓋枠の胴部内周面に沿った外周面を有する円筒形状や、その一部を構成する片形状、棒形状を有している。
【００２７】
ロック部材の脚部は、ガイド・ロック部材の中でガイド部材の下面で連結して下方へ延びた部分であって、通常、片形状、棒形状を有している。したがって、ガイド部材が連続的な円筒形状である場合、脚部はガイド部材下面の全周域ではなく下面の一部領域と結合して下方へ延びている。また、ガイド部材が断片的な片形状または棒形状である場合、脚部はそれぞれのガイド部材下面の全部または一部と結合して連続して下方へ延びており、通常、ガイド部材と脚部は同じ幅の長さに設定される。
【００２８】
さらに、脚部は、蓋体を蓋枠に載置した時、後述されるフックの係合面が蓋枠の胴部内周面に設けられた突起部の係合面から所定の距離で離間するようにその長さが設定されている。このため、通常、フックはロック状態においても前記突起部と係合しないが、蓋体が持ち上げられた時、前記フックと突起部とが係合することにより蓋体を蓋枠から取り去ることができない構造となっている。
【００２９】
ロック部材のフックは、ガイド・ロック部材の中で蓋体本体の裏面から最も離れた最下端に配置され、それぞれの脚部から横方向へ延びている。
【００３０】
したがって、ガイド・ロック部材の中で、ガイド部材の下面に一体的に取り付けたれたロック部材は、少なくとも隣り合う他のロック部材と一定の間隔が空けられ、そしてガイド部材を介して蓋体本体の裏面上に取り付けられる。また、ロック部材のフックをこのように直接配置することにより、ロック部材の中から前記脚部を省略することもできる。
【００３１】
一方、これに対し、蓋枠の受口より下方内周面上に設けられるフックと係合可能な突起部は、蓋体を蓋枠へセットする時、ロック部材のフックが突起部の間隙を通過して突起部より下方へ差し込めるように一定の間隔を空けて周方向に配置されるか、あるいは突起部が内周面に沿って連続したフランジ形状である場合、その一部に一定間隔で切り欠き部を設けて配置される。
【００３２】
したがって、蓋枠に蓋体をセットする場合は、ロック部材のフックを前記フックの位置に対応し、かつ蓋枠の突起部の間に設けられた間隙、あるいは切り欠き部を通過させて前記突起部の下方へ配置した後、蓋体を蓋枠に対して略水平に回転させることによりフックは突起部の真下へ配置され、ロック状態が形成される。また、ロック状態を解除し蓋体を蓋枠から取り外す場合は、上記の逆の操作を行えばよい。
【００３３】
請求項４に係る発明では、請求項１に記載の圧力開放式のます又はマンホールの蓋のガイド部材に、該ガイド部材の厚み方向に貫通する切り欠き部又は開口部を設けた。
【００３４】
この結果、請求項４に記載の発明によれば、ガイド部材が連続的な円筒形状である場合であっても断片的な片形状や棒形状である場合であっても、そのガイド面の一部に該ガイド部材の厚み方向に貫通する切り欠き部や開口部を設けることにより、蓋体の開放圧を容易かつ広範囲に調節することができるようになる。
【００３５】
請求項５に係る発明では、請求項１に記載の圧力開放式のます又はマンホールの蓋のガイド部材の高さを、蓋体載置時のロック部材のフック係合面から蓋枠の胴部内周面の突起部係合面までの離間距離より長く設定した。
【００３６】
この結果、請求項５に記載の発明によれば、蓋体のガイド部材下端部が受口の上面を越えて蓋枠に乗り上げてしまうこと防止される。このため、蓋体は圧力開放後、そのガイド部材および蓋枠の胴部内周面によりガイドされて、蓋枠から離脱することなく確実に元の位置に収まることができる。
【００３７】
請求項６に係る発明では、請求項１に記載の圧力開放式のます又はマンホールの蓋の受口に、蓋体本体の裏面周縁部を載置するための水平部を設け、また、前記水平部上または前記水平部と当接する蓋体本体の裏面上にはシール部材を取り付けた。
【００３８】
この結果、請求項６に記載の発明によれば、蓋体の全荷重は蓋枠の受口に設けられた水平部により支持されるため、蓋体本体の外周部端面と受口の内周面との間に直接荷重が掛かって大きな摩擦抵抗を生じることが防止され、蓋体の裏面に圧力が掛かった時など、受口内にセットされた蓋体のスムーズな解放が許容される。
【００３９】
また、請求項６に記載の発明によれば、シール部材は蓋体の荷重により上方から押圧されるのみであるから、シール部材を蓋体本体の外周部端面や蓋枠の内周面に取り付けた場合と異なり、蓋体と蓋枠との間でシール部材による摩擦抵抗をほとんど発生させることがない。このため、シール部材の介在により蓋体と蓋枠とのシール性がさらに向上し汚水等からの悪臭の飛散防止が強化されると共に、蓋体の裏面に圧力が掛かった時、スムーズに蓋体を蓋枠から解放することができるようになる。
【００４０】
なお、本発明に適用されるシール部材は、合成ゴムなど一般にシール部材として使用される弾性材料から作られているものであれば特に制限されることなく使用することができ、また、シール部材の断面形状は四角形、三角形、円形またはリップ形状など各種の形状を適宜選択して使用することができる。
【００４１】
また、シール部材の固定方法は接着剤や両面テープなどを使用してもよいが、その交換の容易性などを考慮すると、受口の水平部または前記水平部と当接する蓋体本体の裏面にシール部材固定用の溝を設け、ここにシール部材を嵌め込んで固定するのが好ましい。
【００４２】
さらに、水平部は、蓋体本体の裏面周縁部を載置できるように受口の内周面の全部または一部に形成されていればよいが、蓋体と受口とのシール性を向上させるためには受口の内周面に沿って水平部がリング状に形成されていることが好ましい。
【００４３】
請求項７に係る発明では、通常のます又はマンホールに請求項１ないし６のいずれかに記載の圧力開放式のます又はマンホールの蓋を装着した。
【００４４】
この結果、請求項７に記載の発明によれば、ロック時、蓋体はロック部材により蓋枠から自由に取り去ることはできないが、蓋体の裏面に圧力が掛かった時、蓋体はその圧力に応じて蓋体の外周部に開口部を形成することにより過大な圧力を開放し、防犯性および安全性に優れたます又はマンホールを提供することができる。また、蓋枠の胴部と排水ます又はマンホールから延びた立ち上がり管を一体成形して共通化することにより、部品点数が極めて少ない安価な圧力開放式の蓋を備えたます又はマンホールを提供することもできる。
【発明の効果】
【００４５】
本発明によれば、蓋体をロックする機能を担う部分と蓋体をガイドする機能を担う部分を機能的に分離し、ロック部材のフック係合面と蓋枠の突起部係合面との間に遊びを設けたため、ロック時、蓋体はロック部材により蓋枠から自由に取り去ることはできないが、蓋体の裏面に圧力が掛かった時、その圧力に応じて蓋体受口からロック部材のフックと蓋枠の突起部とが係合するまで押し上げられ、蓋体の外周部に形成された開口部を通して圧力を開放し、その後再び元の位置に収まることができる。
【００４６】
また、本発明によれば、土砂などの噛み込みによる影響が極めて少なく、蓋体の重量を決定するだけで簡単にます又はマンホール内に生じた圧力の開放圧を調節することができる。
【００４７】
また、本発明の他の一面によれば、蓋体の裏面に不均等な圧力が生じた場合であっても、ガイド部材の存在により、蓋体は蓋枠から略水平な状態を保ちながら大きなストロークで上下動することが可能となり、一時に多量の排水を逃がすことができる極めて圧力開放効率の高い樹脂製のます又はマンホールの蓋を提供することができる。
【００４８】
また、本発明によれば、ガイド部材の長さをフック係合面から突起部係合面までの距離より長くすることにより、蓋体が受口の上面を越えて蓋枠に乗り上げてしまうことが防止される。
【００４９】
また、本発明の他の一面によれば、蓋体本体の外周部端面のテーパー角を前記蓋体本体の水平面に対し少なくとも４５°以下となるように設定することにより、蓋体本体の外周部端面と受口内周面との間に形成される開口部を通って排出される排水の圧力損失を減じて樹脂製のます又はマンホールの蓋の圧力開放効率をさらに高めることができる。
【００５０】
また、本発明の他の一面によれば、受口に蓋体本体の裏面周縁部を載置するための水平部を設けることにより、蓋体本体の外周部端面と受口の内周面との間に直接荷重が掛かって大きな摩擦抵抗を生じることが防止され、蓋体の裏面に圧力が掛かった時など、受口内にセットされた蓋体のスムーズな解放が許容される。
【００５１】
さらに、本発明の他の一面によれば、受口の水平部または前記水平部と当接する蓋体本体の裏面にシール部材を取り付けて蓋体と蓋枠との間でシール部材による摩擦抵抗をほとんど生じることがないようにすることにより、蓋体と蓋枠と間のシール性をさらに向上させて汚水等からの悪臭の飛散防止を強化すると共に、蓋体の裏面に圧力が掛かった時は、スムーズに蓋体を蓋枠から解放することができるようになる。
【００５２】
また、本発明の他の一面によれば、通常のます又はマンホールに上述された圧力開放式のます又はマンホールの蓋を装着することにより、ロック時、蓋体はロック部材により蓋枠から自由に取り去ることはできないが、蓋体の裏面に圧力が掛かった時、蓋体はその圧力に応じて蓋体の外周部に開口部を形成することにより過大な圧力を開放し、防犯性および安全性に優れたます又はマンホールを提供することができる。
【発明を実施するための最良の形態】
【００５３】
以下、本発明の一実施形態に係る圧力開放式のます又はマンホールの蓋について、図面を参照しながら詳細に説明する。なお、本発明は、以下に示される実施例に限定されるものではなく、本発明の技術的思想を逸脱しない範囲内で各種の変更が可能である。
【実施例１】
【００５４】
実施例１は、蓋体本体の周縁部に２つのロック部材が装着され、さらに裏面には４つのガイド部材が取り付けられた蓋体とこれと脱着可能な受口と胴部（以下、「スカート部」ともいう）を備えた蓋枠からなる本発明による圧力開放式のます又はマンホールの蓋１ａである。
【００５５】
図１には、実施例１のます又はマンホールの蓋１ａの蓋体２および蓋枠３をそれらの中心断面で切り取った場合の断面図が示されており、その中で図１ａは蓋体２を蓋枠３にセットする前の状態を示し、図１ｂは蓋体２を蓋枠３にセットした後であるが、ロックは解除されている状態を示している。
【００５６】
図１を参照して説明すると、実施例１のます又はマンホールの蓋１ａは塩化ビニール樹脂製からできており、蓋体２とこれを脱着自在に受け入れるための受口７を備えた蓋枠３とから構成される。なお、蓋１ａの材質は塩化ビニール樹脂の他、ポリエチレン、ポリプロピレンなどの合成樹脂やＦＲＰ、レジンコンクリート、鋳鉄なども使用することができる。
【００５７】
蓋体本体２３は、下方に向けて径を縮小するようにテーパーが付けられた外周部端面２１を備えており、その周縁部には表裏面を貫通した２つのロック部材装着孔２０を介してロック部材４が回転自在に取付けられている。また、蓋体本体２３の裏面には、そこから略垂直に延びた４つのガイド部材５が一体成形されており、さらに外周部端面２１と隣接する裏面周縁部には蓋枠３の受口７と協働してシールするための平パッキン６が裏面に設けられた溝部に嵌め込まれている。
【００５８】
一方、蓋枠３は、蓋体２を脱着自在に受け入れるための受口７と、その下部には排水ますから延びた立ち上り管（図示せず）の上部開口部内に装着するためのスカート部８からなり、その内周面３０上にはロック部材４のフック４２と係合可能な突起部３１が形成されている。なお、蓋枠３のスカート部８は、排水ます又はマンホールから延びた立ち上がり管と一体成形して共通化することにより、部品点数が極めて少ない安価な圧力開放式の蓋を備えたます又はマンホールとすることもできる。
【００５９】
つぎに、蓋体２および蓋枠３を構成する部品およびそれらの機能について、図面を参照しながら以下に詳しく述べる。
【００６０】
図２には、蓋体２を蓋枠３の載置した時、蓋体２に取り付けられたガイド部材４と蓋枠３との位置関係が概略的に示されている。
【００６１】
蓋体２を構成するロック部材４は、特開平１１−２２９４７９号公報に記載されているロック部材と略同じ基本構造を有し、本実施例１においてはその脚部を改良したものが使用されている。
【００６２】
すなわち、ロック部材４は図２から明らかなように、頭部４０とそれと連結した脚部４１と前記脚部から横方向へ延びたフック４２からなり、蓋体本体２３のロック部材装着孔２０に挿入した時、蓋体本体２３の裏面と係合する弾性を付与された一対ピン４３を含んでいる。
【００６３】
また、ロック部材４は、蓋体２を蓋枠３に載置した時、フック４２の係合面４４が蓋枠３の内周面３０に設けられた突起部３１の係合面３２から所定の距離：Ｄ２で離間するように脚部４１の長さが設定されている。このため、通常、フック４２はロック状態においても突起部３１と係合しないが、蓋体２が持ち上げられた時、フック４２と突起部３１とが係合することにより蓋体２を蓋枠３から取り去ることができない構造となっている。
【００６４】
図３には、蓋体２を蓋枠３に載置した後、ロックされた状態の実施例１のます又はマンホールの蓋１ａの平面図が示され、図４には図３に示されたます又はマンホールの蓋１ａを裏側から見た底面図が示されている。また、図５には、ロック部材４以外を図３の中に示されるＡ−Ａ断面で切り取った場合のます又はマンホールの蓋１ａの断面図が示されており、その中で図５ａは通常の蓋体２が蓋枠３に密閉された状態を示し、図５ｂは蓋体２の裏面に何らかの圧力が掛かり、蓋体２が蓋枠３から持ち上げられて圧力を開放している状態を示している。
【００６５】
蓋体２は、使用時、図１に示される手順により蓋枠３にセットされた後、蓋体本体２３に嵌め込まれたロック部材４の頭部４０を上から回転させることによりロックされる（図３，４参照）。
【００６６】
この時、蓋体２は、通常、図５ａに示されるようにフック４２および突起部３１が係合していない離間した位置において、蓋枠３の受口７内に載置されている。しかし、集中豪雨などにより多量の雨水が流れ込んでます又はマンホール内に過大な圧力を生じたような場合、蓋体２は、図５ｂに示されるようにロック部材４のフック４２と蓋枠３の突起部３１とが係合する位置まで押し上げられ、そして、その外周部に形成された開口部９を通して圧力を開放するが、ロック部材５の係止機能により蓋枠３から離脱することはない（図７参照）。
【００６７】
ガイド部材５は、蓋体２を蓋枠３の受口７に載置した時、蓋枠３の内周面３０と略平行に離間しながら対向する片形状の部材であり、これにより、蓋体２の大きなストロークの上下動がスムーズにガイドされる。なお、ガイド部材５の形状は蓋枠３の内周面３０と略平行に離間しながら対向する部分を備えていればよく、たとえば、連続した円筒形状やその一部を構成する棒形状などであってもよい。
【００６８】
さらに、ガイド部材５は蓋体２の開放圧を調節するためにも機能するため、たとえば、ガイド部材が断片的な片形状や棒形状である場合、それらの部材の配置間隔を調整することによります又はマンホール内に生じた圧力の開放圧を調節することができ（図６ａ参照）、また、連続的な円筒形状である場合は、その円筒面の一部に切り欠き部や開口部を設けることにより開放圧を調節することができる（図６ｃ，ｂ参照）。
【００６９】
例えば、図６ａに示される実施例１のようなます又はマンホールの蓋１ａの場合、切り欠き部の幅の総延長は全周の長さに対して２／３程度（６０〜７０％）の長さに設定することができ、さらに総延長を４／５程度（約８０％）に広げることにより一層スムーズな圧力開放を実現することもできる。また、これは円筒面の一部に開口部を設ける場合も同様である。なお、図示しないが、切り欠き部や開口部はガイド部材が断片的な片形状や棒形状である場合であっても適用することができる。
【００７０】
図２および図５に示されるように蓋体２を蓋枠３に載置した時、ガイド部材５の高さ：Ｄ１をロック部材５のフック係合面４４と蓋枠３の突起部係合面３２との間の離間距離：Ｄ２より長くなるように設定すると、ガイド部材５の下端部は受口７を越えて蓋枠３の上面に乗り上げることができないため、圧力開放後、蓋体２はガイド部材５が蓋枠３の胴部内周面３０にガイドされることにより蓋枠３から離脱することなく確実に元の位置に収まることができる。
【００７１】
以上の結果、蓋体２の裏面に不均等な圧力が生じた場合であっても、ガイド部材５は、蓋体２を蓋枠３から略水平な状態を保ちながら大きなストロークで上下動させることを可能にし、このため、一時に多量の排水を逃がすなど極めて高い圧力開放効率を達成することができる。また、圧力開放後は、蓋体２が再び元の位置に収まるのを確実にする。
【００７２】
また、実施例１のます又はマンホールの蓋１ａは専用のロック部材４と専用のガイド部材５を設けて蓋体２をロックする機能とガイドする機能を担う部分を完全に分離独立させたため、ガイド部材５の構造を片形状に単純化し、また、ガイド部材５と蓋枠内周面３０との間に適度な隙間を確保するなどして土砂などが噛み込み難い構造を採用することができる。このため、実施例１のます又はマンホールの蓋１ａは、土砂などの噛み込みによる影響を極めて少なくすることができ、屋外で長期間にわたり使用しても圧力開放機能が損なわれることがない。
【００７３】
図１ａを参照すると、実施例１のます又はマンホールの蓋１ａの受口７には、蓋体本体２３の裏面周縁部を載置するための水平部７１が設けられている。
【００７４】
水平部７１は蓋体２の全荷重をその下方のみから支持するための部分であって、この水平部７１の設置により、蓋体本体２３の外周部端面２１と受口７の内周面７０との間に直接荷重が掛かって大きな摩擦抵抗を生じることが防止され、蓋体２の裏面に圧力が掛かった時など、受口７内にセットされた蓋体２のスムーズな解放が許容される。
【００７５】
なお、水平部７１は、蓋体本体２３の裏面周縁部を載置できるように受口７の内周面の全部または一部に形成されていればよいが、蓋体２と受口７とのシール性を向上させるためには、本実施例１に示されるように受口７の内周面に沿って水平部７１がリング状に形成されていることが好ましい。
【００７６】
蓋体本体２３の裏面周縁部に設けられた溝部に嵌め込まれた平パッキン６は、蓋体２を蓋枠３の受口７内に載置した時、受口７の水平部７１と協働して実施例１のます又はマンホールの蓋１ａを確実にシールする。
【００７７】
この時、シール部材である平パッキン６は、蓋体２の荷重により上方から押圧されるのみであるから、シール部材を蓋体本体２３の外周部端面２１や蓋枠３の内周面７０に取り付けた場合と異なり、蓋体２と蓋枠３との間で平パッキン６による摩擦抵抗をほとんど発生させることがない。このため、平パッキン６の介在により蓋体２と蓋枠３とのシール性がさらに向上し汚水等からの悪臭の飛散防止が強化されると共に、蓋体２の裏面に圧力が掛かった時、スムーズに蓋体２を蓋枠３から解放することができる。
【００７８】
なお、平パッキン６は、合成ゴムなど一般にシール部材として使用される弾性材料から作られているものであれば特に制限されることなく使用することができ、また、その断面形状は四角形、三角形、円形またはリップ形状など各種の形状を適宜選択して使用することができる。
【００７９】
また、平パッキン６の固定方法は接着剤や両面テープなどを使用してもよいが、その交換の容易性などを考慮すると、本実施例１のように平パッキン６を取り付ける側の部分にシール部材固定用の溝を設け、ここに平パッキン６を嵌め込んで固定するのが好ましい。
【００８０】
さらに、本実施例１のます又はマンホールの蓋１ａの場合は、蓋体本体２３の外周部端面２１を蓋体２の水平面に対し少なくとも４５°以下となるようにそのテーパー角：αを設定することもできる（図８参照）。
【００８１】
すなわち、従来のます又はマンホールの蓋の場合、蓋体本体の外周部端面のテーパー角を小さくし過ぎると、蓋体が受口から容易に外れたり蓋枠に乗り上げるという不都合を生ずる。これに対し、本実施例１のます又はマンホールの蓋１ａの場合は、先述されたガイド部材５により蓋体２の上下動が常にガイドされているため、蓋体２が蓋枠３から外れて乗り上げてしまうことがない。このため、蓋体２が持ち上げられた時、蓋体本体２３の外周部端面２１と受口内周面７０との間に形成される開口部９がより大きくなるように外周部端面２１のテーパー角を４５°以下であっても自由に設定することができる。
【００８２】
この結果、図８に示される比較例のように、蓋体２ａ，ｂが同じストローク上昇した場合、蓋体本体２３の外周部端面２１ａ，ｂと受口内周面７０ａ，ｂとの間に形成される開口部９ａ，ｂは、テーパー角が大きな外周部端面２１ａを有する蓋体２ａよりも小さな外周部端面２１ｂを有する蓋体２ｂの方がより大きくなるため、開口部９ｂを通って排出される排水の圧力損失を減じることによります又はマンホールの蓋の開放効率をさらに高めることができる。
【００８３】
また、蓋体２ｂのように外周部端面２１ｂのテーパー角を小さくすると、外周部端面２１ｂと受口内周面７０ｂとの間に土砂などを噛み込むことにより、蓋体２ｂが蓋枠３ｂから動かなくなるという不都合を生じることもなくなる。
【００８４】
このように、実施例１においては蓋体２のロック機構を有し、それでいて土砂などの噛み込みによる影響が極めて少なく、蓋体２の重量を決定するだけで簡単にます又はマンホール内に生じた圧力の開放圧を調節することができるます又はマンホールの蓋１ａを提供することができる。
【実施例２】
【００８５】
実施例２は、蓋体本体と蓋体をロックする機能を担う部分と蓋体をガイドする機能を担う部分とを結合させた４つのガイド・ロック部材を有する蓋体と、これと脱着可能な受口と胴部（以下、「スカート部」ともいう）を備えた蓋枠からなる本発明による圧力開放式のます又はマンホールの蓋１ｂである。
【００８６】
したがって、実施例１の圧力開放式のます又はマンホールの蓋１ａとの最大の相違点は、実施例１のように蓋体２に蓋のロック機構とガイド機構を別個独立した部材として設けたものではなく、蓋体２をロックする機能を担う部分と蓋体２をガイドする機能を担う部分とを明確に区分けしながら、それぞれを簡素化された１つの部材の中に結合させた点にある。
【００８７】
図９には、実施例２のます又はマンホールの蓋１ｂの蓋体２を裏側から見た底面図が示されており、図１０には、図９の中に示されるＢ−Ｂ断面で切り取った場合の断面図が示されている。また、図１１には蓋枠３の平面図が、図１２には蓋枠３の底面図が示されており、図１３には、図１１の中に示されるＣ−Ｃ断面で切り取った場合の断面図が示されている。
【００８８】
実施例２のます又はマンホールの蓋１ｂは塩化ビニール樹脂製からできており、蓋体２とこれを脱着自在に受け入れるための受口を備えた蓋枠３とから構成される。なお、蓋１ｂの材質は塩化ビニール樹脂の他、ポリエチレン、ポリプロピレンなどの合成樹脂やＦＲＰ、レジンコンクリート、鋳鉄なども使用することができる。
【００８９】
図９および１０を参照して説明すると、蓋体本体２３は下方に向けて径を縮小するようにテーパーが付けられた外周部端面２１を備えており、その裏面周縁部には、裏面から下方に延びた４つのガイド・ロック部材１０が一体成形されている。また、蓋体本体２３の裏面には、蓋体本体２３およびガイド・ロック部材１０を補強するためのリブ２２が蓋体本体２３の中心部から放射状に配置されている。
【００９０】
さらに、外周部端面２１と隣接する裏面周縁部には蓋枠３の受口７と協働してシールするための平パッキン６が裏面に設けられた溝部に嵌め込まれている。
【００９１】
一方、蓋枠３は、図１１ないし１３に示されるように蓋体２を脱着自在に受け入れるための受口７と、その下部には排水ますから延びた立ち上り管（図示せず）の上部開口部内に装着するためのスカート部８からなり、その内周面３０上にはガイド・ロック部材１０のフック４２と係合可能な突起部３１が形成されている。なお、蓋枠３のスカート部８は、排水ます又はマンホールから延びた立ち上がり管と一体成形して共通化することにより、部品点数が極めて少ない安価な圧力開放式の蓋を備えたます又はマンホールとすることもできる。
【００９２】
蓋のガイド・ロック部材１０は、図１０に示されるように蓋体本体２３の裏面から略垂直に延びたガイド部材５と、その下面で連結して下方へ延びた脚部４１と前記脚部から横方向へ延びたフック４２とからなるロック部材４とで構成される。したがって、ガイド・ロック部材１０は蓋体２に対して固定されており、そのため、それ自体が蓋体２に対して回転したり可動したりすることはない。
【００９３】
ガイド部材５は、蓋体２を蓋枠３の受口７に載置した時、蓋枠３の胴部内周面３０と略平行に離間しながら対向するガイド・ロック部材１０の中の片形状の部分であり、これにより、蓋体２の大きなストロークの上下動がスムーズにガイドされる。なお、ガイド部材５の形状は蓋枠３の胴部内周面３０と略平行に離間しながら対向する部分を備えていればよく、たとえば、連続した円筒形状やその一部を構成する棒形状などであってもよい。
【００９４】
また、ガイド部材５は蓋体２の開放圧を調節するためにも機能するため、たとえば、ガイド部が断片的な片形状や棒形状である場合、それらの部材の配置間隔を調整することにより開放圧を調節することができ、また連続した円筒形状である場合は、その円筒面の一部に切り欠き部や開口部を設けることにより開放圧を調節することができる。
【００９５】
なお、ガイド部材５の切り欠き部や開口部は、ガイド部材５が連続的な円筒形状である場合であっても断片的な片形状や棒形状である場合であっても、そのガイド面の一部に該ガイド部材５の厚み方向に貫通するように設けることができ、その結果、蓋体２の開放圧を容易かつ広範囲に調節することができるようになる。
【００９６】
ロック部材４の脚部４１は、ガイド・ロック部材１０の中でガイド部材５の下面で連結して下方へ延びた片形状の部分であって、その断面はガイド部材５の断面と略同じ形状を有するように設定されている。また、ロック部材４のフック４２は、ガイド・ロック部材１０の中で蓋体本体２３の裏面から最も離れた最下端部に配置され、それぞれの脚部４１から横方向へ延ばされている。なお、脚部４１は、必ずしもガイド部材５下面の全断面に対して連結されている必要はないが、ガイド・ロック部材１０の強度および成形性などを考慮すると略同じ断面形状を有するように連続して連結されていることが好ましい。
【００９７】
脚部４１は、蓋体２を蓋枠３に載置した時、フック４２の係合面４４が蓋枠３の胴部内周面３０に設けられた突起部３１の係合面３２から所定の距離：ｄ２で離間するように脚部４１の長さが設定されている。このため、通常、フック４２はロック状態においても突起部３１と係合しないが、蓋体２が持ち上げられた時、フック４２と突起部３１とが係合することにより蓋体２を蓋枠３から取り去ることができない構造となっている。
【００９８】
また、ガイド・ロック部材１０は、隣り合う他のガイド・ロック部材と一定の間隔を空けて蓋体２の裏面上に取り付けられる。
【００９９】
一方、これに対し、蓋枠３の受口７より下方に設けられたフック４２と係合可能な突起部３１は、蓋体２を蓋枠３へセットする時、ガイド・ロック部材１０のフック４２のそれぞれが突起部３１間の間隙を通過して突起部３１より下方へ差し込めるように一定の間隔を空けて周方向に配置される。
【０１００】
このため、蓋枠３に蓋体２をセットする場合、ガイド・ロック部材１０のフック４２を前記フックの位置に対応し、かつ蓋枠３の突起部３１の間に設けられた間隙を通過させて前記突起部の下方へ配置した後、蓋体２を蓋枠３に対して略水平に回転させることによりフック４２は突起部３１の真下へ配置され、ロック状態が形成される。また、ロック状態を解除し蓋体２を蓋枠３から取り外す場合は、上記の逆の操作を行えばよい。
【０１０１】
突起部３１は、図１３から明らかなとおり、蓋枠３の胴部内周面３０に対して逆Ｌ字型を形成するように鉛直方向に延びた２つの側片３３、３４とそれぞれの側片を結ぶ水平方向へ延びた１つの頂片３５から形成される。
【０１０２】
また、２つの側片のうち一の側片３３は、蓋体２を蓋枠３の中で回転させてロックする時、蓋体２のフック４２のストッパーとして機能するように十分な長さが与えられており、一方、これに対し他の側片３４は、蓋体２のフック４２の出し入れを容易にし、蓋体２が持ち上げられた時、フック４２が突起部係合面３２から横方向へ外れないようにするため、フック４２の厚みと略同じ長さで、かつ一の側片３３より短い長さに設定されている。なお、突起部３１の頂片３５が内周面３０に沿って連続したフランジ形状を形成している場合は、その一部に一定の間隔で切り欠き部を設けて配置してもよい。
【０１０３】
つぎに、蓋体２および蓋枠３を構成する部品およびそれらの機能について、図面を参照しながら以下に詳しく述べる。
【０１０４】
図１４には、蓋体２を蓋枠３に載置した後、ロックされた状態の実施例２のます又はマンホールの蓋１ｂをその中心断面で切り取った場合の断面図が示されており、その中で図１４ａは通常の蓋体２が蓋枠３に密閉された状態を示し、図１４ｂは蓋体２の裏面に何らかの圧力が掛かり、蓋体２が蓋枠３から持ち上げられて圧力を開放している状態を示している。
【０１０５】
蓋体２は、通常、図１４ａに示されるようにフック４２および突起部３１が係合していない離間した位置において蓋枠３の受口７内に載置されている。しかし、集中豪雨などにより多量の雨水が流れ込んでます又はマンホール内に過大な圧力を生じたような場合、蓋体２は、図１４ｂに示されるようにガイド・ロック部材１０のフック４２と蓋枠３の突起部３１とが係合する位置まで押し上げられ、そして、その外周部に形成された開口部９を通して圧力を開放するが、ガイド・ロック部材１０の係止機能により蓋枠３から離脱することはない（図１５参照）。
【０１０６】
また、ガイド・ロック部材１０のガイド部材５の高さｄ１を、図１４ａに示されるように蓋体２を蓋枠３に載置した時、ロック部材５のフック係合面４４と蓋枠３の突起部係合面３２との間の離間距離：ｄ２より長くなるように設定すると、蓋体２の裏面に不均等な圧力が生じた場合であっても、ガイド部材５は、蓋体２を蓋枠３から略水平な状態を保ちながら大きなストロークで上下動させることを可能にし、このため、一時に多量の排水を逃がすなど極めて高い圧力開放効率を達成することができる。また、圧力開放後は、蓋体２が再び元の位置に収まるのを確実にする。
【０１０７】
以上の結果、実施例２のます又はマンホールの蓋１ｂは、簡素化された１つのガイド・ロック部材１０の中で蓋体２のロックする機能を担うロック部材４と蓋体のガイド機能を担うガイド部材５を機能的に分離したため、ガイド部材５の構造を片形状に単純化し、また、ガイド部材５と蓋枠の胴部内周面３０との間に適度な隙間を確保するなどして土砂などが噛み込み難い構造を採用することができる。このため、実施例２のます又はマンホールの蓋１ｂは、土砂などの噛み込みによる影響を極めて少なくすることができ、屋外で長期間にわたり使用しても圧力開放機能が損なわれることがない。
【０１０８】
図１３を参照すると、実施例２のます又はマンホールの蓋１ｂの受口７には、蓋体本体２３の裏面周縁部を載置するための水平部７１が設けられている。
【０１０９】
水平部７１は蓋体２の全荷重をその下方のみから支持するための部品であって、この水平部７１の設置により、蓋体本体２３の外周部端面２１と受口７の内周面７０との間に直接荷重が掛かって大きな摩擦抵抗を生じることを防止し、蓋体２の裏面に圧力が掛かった時など、受口７内にセットされた蓋体２のスムーズな解放を許容する。
【０１１０】
なお、水平部７１は、蓋体本体２３の裏面周縁部を載置できるように受口７の内周面の全部または一部に形成されていればよいが、蓋体２と受口７とのシール性を向上させるため、本実施例２に示されるように受口７の内周面に沿ってリング状に形成されていることが好ましい。
【０１１１】
蓋体本体２３の裏面周縁部に設けられた溝部に嵌め込まれた平パッキン６は、蓋体２を蓋枠３の受口７内に載置した時、受口７の水平部７１と協働して実施例２のます又はマンホールの蓋１ｂを確実にシールする。
【０１１２】
この時、シール部材である平パッキン６は蓋体２の荷重により上方から押圧されるのみであるから、シール部材を蓋体本体２３の外周部端面２１や蓋枠３の内周面７０に取り付けた場合と異なり、蓋体２と蓋枠３との間で平パッキン６による摩擦抵抗をほとんど発生させることがない。このため、平パッキン６の介在により蓋体２と蓋枠３とのシール性がさらに向上し汚水等からの悪臭の飛散防止が強化されると共に、蓋体２の裏面に圧力が掛かった時、スムーズに蓋体２を蓋枠３から解放することができる。
【０１１３】
なお、平パッキン６は、合成ゴムなど一般にシール部材として使用される弾性材料から作られているものであれば特に制限されることなく使用することができ、また、その断面形状は四角形、三角形、円形またはリップ形状など各種の形状を適宜選択して使用することができる。
【０１１４】
また、平パッキン６の固定は接着剤や両面テープなどを使用してもよいが、その交換の容易性などを考慮すると、本実施例２のように平パッキン６を取り付ける側の部分にシール部材固定用の溝を設け、ここに平パッキン６を嵌め込んで固定するのが好ましい。
【０１１５】
さらに、本実施例２のます又はマンホールの蓋１ｂは、実施例１のます又はマンホールの蓋１ａと同様に蓋体本体２３の外周部端面２１を蓋体２の水平面に対し少なくとも４５°以下となるようにそのテーパー角：αを設定することもでき（図８参照）、実施例１の中で説明したのと同様の効果を得ることができる。
【図面の簡単な説明】
【０１１６】
【図１】実施例１のます又はマンホールの蓋の蓋体および蓋枠をそれらの中心断面で切り取った場合の断面図である。
【図２】蓋体を蓋枠に載置した時の蓋体のガイド部材と蓋枠の位置関係を示した概略図である。
【図３】蓋体を蓋枠に載置した後、ロックした状態の実施例１のます又はマンホールの蓋の平面図である。
【図４】図３に示されるます又はマンホールの蓋を裏側から見た底面図である。
【図５】図３に示されるます又はマンホールの蓋のロック部材以外をＡ−Ａ断面で切り取った場合の断面図である。
【図６】ガイド部材の変形例を示した概略図である。
【図７】圧力開放時の実施例１のます又はマンホールの蓋を外部から見た斜視図である。
【図８】蓋体外周部端面のテーパー角の違いにより、形成される開口部の大きさの相違を比較した概略図である。
【図９】実施例２のます又はマンホールの蓋を裏側から見た底面図である。
【図１０】図９に示される蓋体をＢ−Ｂ断面で切り取った場合の断面図である。
【図１１】実施例２のます又はマンホールの蓋枠の平面図である。
【図１２】実施例２のます又はマンホールの蓋枠を裏側から見た底面図である。
【図１３】図１１に示される蓋枠をＣ−Ｃ断面で切り取った場合の断面図である。
【図１４】蓋体を蓋枠に載置した後、ロックした状態の実施例２のます又はマンホールの蓋の蓋体および蓋枠をそれらの中心断面で切り取った場合の断面図である。
【図１５】圧力開放時の実施例２のます又はマンホールの蓋を外部から見た斜視図である。
【符号の説明】
【０１１７】
１ａ、１ｂ  ・・・ます又はマンホールの蓋
２  ・・・・・・・蓋体
３  ・・・・・・・蓋枠
４  ・・・・・・・ロック部材
５  ・・・・・・・ガイド部材
６  ・・・・・・・平パッキン
７  ・・・・・・・受口
８  ・・・・・・・スカート部（胴部）
９  ・・・・・・・開口部
１０  ・・・・・・ガイド・ロック部材
２０  ・・・・・・ロック部材装着孔
２３  ・・・・・・蓋体本体
【図１】
2007321535.tif 000003
【図２】
2007321535.tif 000004
【図３】
2007321535.tif 000005
【図４】
2007321535.tif 000006
【図５】
2007321535.tif 000007
【図６】
2007321535.tif 000008
【図７】
2007321535.tif 000009
【図８】
2007321535.tif 000010
【図９】
2007321535.tif 000011
【図１０】
2007321535.tif 000012
【図１１】
2007321535.tif 000013
【図１２】
2007321535.tif 000014
【図１３】
2007321535.tif 000015
【図１４】
2007321535.tif 000016
【図１５】
2007321535.tif 000017